(57)【要約】【課題】容器の頂部を形成し、容器の中身へのアクセスを得るためのアクセス開口部を画定するフラップを有する薄膜層を備える再封可能なパッケージ完全性封止部を提供すること。【解決手段】封止パネルは薄膜層のフラップを完全にカバーする。封止パネルを薄膜層に付着させるため、剥離可能な接着剤が薄膜層および封止パネルのいずれか一方または両方に塗布される。封止パネルは、封止パネルを剥離方向に後方に引くことによって薄膜層から剥離可能であり、封止パネルが頂部に戻されたときにアクセス開口部が封止されるように頂部に対して再閉鎖可能である。転写可能な材料の塗料が封止パネルまたは薄膜層上に塗布され、封止パネルが最初に薄膜層から後方に引かれたときに、それぞれその間で転写可能であり、封止部が以前に開放されたことが視覚的に示される。【選択図】図２ａ
2008162692.tif 000002
【特許請求の範囲】
【請求項１】
パッケージ完全性エンクロージャを有するパッケージであって、
頂部、前記頂部内のアクセス開口部、および前記アクセス開口部をカバーし前記アクセス開口部の周囲で前記頂部を封止係合して前記パッケージを最初に封止してから最初に開放された後に前記頂部に対して再封可能な封止パネルを備え、
前記頂部と前記封止パネルの対面する係合面の１つは塗料を有し、前記塗料は前記パッケージの最初の開放時に前記頂部および封止パネルの他方に付着して前記パッケージが前に開放されたことが表示されることを特徴とするパッケージ。
【請求項２】
前記頂部および前記封止パネルのうちの少なくとも１つに塗布される接着剤をさらに含むことを特徴とする請求項１に記載のパッケージ。
【請求項３】
前記接着剤と前記塗料の付着強度は前記塗料と前記封止パネルまたは前記頂部のいずれか一方との付着強度よりも強いことを特徴とする請求項２に記載のパッケージ。
【請求項４】
前記塗料はペイントおよびインクからなるグループから選択されることを特徴とする請求項１に記載のパッケージ。
【請求項５】
パッケージ完全性を示す封止部であって、
容器の頂部を形成し前記容器の中身へのアクセスを得るためのアクセス開口部を画定するフラップを有する薄膜層と、
前記薄膜層の前記フラップを完全にカバーする封止パネルと、
前記封止パネルを前記薄膜層に付着させるための前記封止パネルまたは前記薄膜層のいずれか一方または両方に塗布される剥離可能な接着剤であって、前記封止パネルは前記封止パネルを剥離方向に引くことによって前記薄膜層から剥離可能であり、かつ前記封止パネルが前記頂部に戻された場合に前記アクセス開口部を封止するように前記頂部に対して再閉鎖可能である剥離可能な接着剤と、
前記封止パネルの前記薄膜層に面する前記封止パネルの表面上、または前記薄膜層の前記封止パネルに面する前記薄膜層の表面上の転写可能な材料の塗料であって、前記塗料は前記封止パネルから前記薄膜層に、または前記薄膜層から前記封止パネルに転写可能であり、前記封止部が前に開放されたことを視覚的に示す塗料とを備えることを特徴とするパッケージ完全性を示す封止部。
【請求項６】
前記剥離可能な接着剤と前記塗料の付着強度は前記塗料と前記薄膜層の付着強度よりも強いことを特徴とする請求項５に記載のパッケージ完全性を示す封止部。
【請求項７】
前記剥離可能な接着剤と前記薄膜層の付着強度は前記塗料と前記封止パネルの付着強度よりも強いことを特徴とする請求項６に記載のパッケージ完全性を示す封止部。
【請求項８】
前記剥離可能な接着剤と前記塗料の付着強度は前記塗料と前記封止パネルの付着強度よりも強いことを特徴とする請求項５に記載のパッケージ完全性を示す封止部。
【請求項９】
前記剥離可能な接着剤と前記塗料の付着強度は前記薄膜層と前記塗料の付着強度よりも強いことを特徴とする請求項５に記載のパッケージ完全性を示す封止部。
【請求項１０】
前記塗料は前記封止パネルの周囲に沿って存在することを特徴とする請求項５に記載のパッケージ完全性を示す封止部。
【請求項１１】
前記塗料は前記封止パネルの周囲の直接下にある前記薄膜層に沿って存在することを特徴とする請求項５に記載のパッケージ完全性を示す封止部。
【請求項１２】
前記塗料は前記薄膜層とは異なる色またはパターンであることを特徴とする請求項５に記載のパッケージ完全性を示す封止部。
【請求項１３】
前記封止パネルの周縁部は非線形であることを特徴とする請求項５に記載のパッケージ完全性を示す封止部。
【請求項１４】
前記封止パネルの周縁部はジグザグパターンであることを特徴とする請求項１３に記載のパッケージ完全性を示す封止部。
【請求項１５】
パッケージ完全性を示す封止部であって、
第２の薄膜層に接着結合された第１の薄膜層を含む少なくとも１つの二重の材料と、
第１の切り取り線に沿って前記第１の薄膜層から分離された場合に前記第１の薄膜層を通るアクセス開口部を提供するための第１のパネルを画定する前記第１の薄膜層内に形成された第１の切り取り線と、
前記第１のパネルを完全にカバーする封止パネルを画定する第２の層切り取り線を有する第２の薄膜層と、
前記第１の薄膜層に剥離可能に付着され、前記アクセス開口部を露出するために前記第１の薄膜層から分離可能である封止パネルと、
前記封止パネルの前記第１の薄膜層に面する前記封止パネルの表面上、または前記第１の薄膜層の前記封止パネルに面する前記第１の薄膜層の表面上の転写可能な材料の塗料であって、前記封止部の開放時に前記塗料の一部が前記封止パネルと前記第１の薄膜層の間で転写されて、前記封止パネルが前記第１の薄膜層から最初に剥離された後に前記封止部が開放されたことを視覚的に示すようになされた塗料とを備えることを特徴とするパッケージ完全性を示す封止部。
【請求項１６】
前記塗料はペイントおよびインクからなるグループから選択されることを特徴とする請求項１５に記載のパッケージ完全性を示す封止部。
【請求項１７】
前記第２の切り取り線は非直線の形であることを特徴とする請求項１５に記載のパッケージ完全性を示す封止部。
【請求項１８】
前記第２の切り取り線はジグザグパターンであることを特徴とする請求項１７に記載のパッケージ完全性を示す封止部。
【請求項１９】
パッケージ完全性を示す食品容器であって、
トレイと
外側層に接着結合された内側層を備えて前記トレイを覆う頂部を形成し、前記頂部が前記トレイに入れた食品へのアクセスのためのアクセス開口部を提供するように形成された、少なくとも１つの二重の材料と、
前記内側層は第１のパネルを有し、前記外側層は前記第１のパネルを完全にカバーする前記外側層内に形成された封止パネルを有し、前記第１のパネルと前記封止パネルが永久結合されて前記容器内へのアクセス開口部が形成され、
前記外側層の前記アクセス開口部に隣接する前記内側層に面する前記外側層の表面上または前記内側層の前記外側層に面する前記内側層の表面上のいずれか一方上の転写可能な材料の塗料と、
前記封止パネルを前記内側層に付着させるための、前記第１のパネルの外側周囲上の前記内側層、または前記内側層上に配置される前記封止パネルのいずれか一方あるいは両方に塗布される剥離可能な接着剤であって、前記封止パネルは前記封止パネル層を剥離方向に後方に引くことによって前記内側層から剥離可能であり、かつ前記封止パネルが前記頂部に戻された場合に前記開口部を封止するように前記頂部に対して再閉鎖可能である剥離可能な接着剤とを備え、
前記封止部の最初の開放時に、前記塗料の少なくとも一部が前記外側層と前記内側層の間で転写されて、前記封止部が開放されたことが視覚的に示されることを特徴とする、パッケージ完全性を示す食品容器。
【請求項２０】
前記食品は、クッキー、クラッカー、ピーナツ、チーズ、薄切り肉、および半固体食品からなるグループから選択されることを特徴とする請求項１９に記載のパッケージ完全性を示す食品容器。
【発明の詳細な説明】
【技術分野】
【０００１】
本発明は、品物を貯蔵するパッケージ用の再封可能な封止部に関し、より詳細には、パッケージ完全性表示部を有するパッケージ用の再封可能な封止部に関する。
【背景技術】
【０００２】
クッキーおよび他のスナックなど食品用の幾つかの容器は、通常、外側包装体を備える。容器の一タイプでは、包装体がフレームを取り囲み、食品を保持し食品を損傷から保護するトレイの働きをする。他の食品は、熱成形トレイなどプラスチックトレイに詰められ、ある種の蓋をする材料を使用してその頂部が封止される。食品容器封止部の技術分野における最近の進歩の１つには、参照により本明細書に組み込まれている、特許文献１で開示された再封可能な封止部が含まれる。この特許では再封可能な封止パネルによってカバーされるアクセス開口部を有する、容器の頂部を形成する包装体が開示されている。
【０００３】
包装技術分野では、多様な方法を使用して、パッケージが以前に開放されたかどうか、またはパッケージの完全性が損なわれていないかどうかが示されてきたが、これは当技術分野でしばしば「不正開封防止機能」と呼ばれる。たとえば、特許文献２の拭取りティッシュの包装技術では、パッケージの完全性を示す手段は、パッケージが最初に開放される前は封止パネルの最初の一体的部分である１つまたは複数のインク層を有する不正開封防止タブを備える。このタブは、封止部が最初に開放されたときに、封止パネルからパッケージの頂部にインク層の１つと共に転着される。不正開封は、封止パネルがパッケージの頂部に再封止された後に、封止パネルと転着されたタブ上の像とのずれで示され、それが封止パネルの透明の外側層を通して見える。
【０００４】
好ましくは食品を収容する容器またはパッケージ用の再封可能な封止部との使用に適した、再封可能な封止部のためのパッケージ完全性表示部に関する技術分野の改善が求められている。
【０００５】
【特許文献１】米国特許第６，９１８，５３２号
【特許文献２】米国特許第６，４２８，８６７号
【特許文献３】米国特許出願第１１／５００，４９７号
【特許文献４】米国特許出願第２００５／０２７６５２５号
【特許文献５】米国特許出願第２００６／０１４４９１１号
【特許文献６】米国特許出願第２００６／０２５７５９９号
【特許文献７】米国特許出願第１１／１９３，６１３号
【発明の開示】
【発明が解決しようとする課題】
【０００６】
本発明は一般に、容器が最初に開放されたときに封止パネルと封止パネルの下に配置された薄膜層の間で転写されるインクまたはペイントなど材料の塗料の形態のパッケージ完全性表示部を有する、二重の材料から形成された容器用の再封可能な封止部に関する。
【課題を解決するための手段】
【０００７】
本発明は、一形態では、容器の頂部を形成し容器の中身へのアクセスを得るためのアクセス開口部を画定するフラップを有する薄膜層を備えるパッケージ完全性封止部を含む。封止パネルは薄膜層のフラップを完全にカバーする。封止パネルを薄膜層に付着させるための剥離可能な接着剤が封止パネルまたは薄膜層のいずれか一方または両方に塗布される。封止パネルは、封止パネルを剥離方向に後方に引くことによって薄膜層から剥離可能であり、頂部に対して再閉鎖可能であり、封止パネルが頂部に戻されたときにアクセス開口部が封止される。転写可能な材料の塗料は、薄膜層のアクセス開口部に隣接する封止パネルに面する表面上、または封止パネルの薄膜層に面する表面上のいずれか一方に配置される。塗料はそれぞれ薄膜層または封止パネルから、封止パネルまたは薄膜層に転写可能である。封止パネルが薄膜層から最初に後方に引っ張られたときに、塗料が付着した薄膜層または封止パネルの一部が移送されずに塗料の転写が生じて、封止部が前に開放されたことが視覚的に示される。封止パネルは、参照により本明細書に組み込まれている特許文献３に開示された容器など、容器の頂部を形成する多層材料の上層でもよく、または特許文献１の容器など、容器の頂部を形成する薄膜層上に貼り付けられる別個のラベルでもよい。さらに、封止パネルの周縁部は、線形またはジグザグパッケージなど非線形でもよい。
【０００８】
有利には、転写可能な材料の塗料は、薄膜層または封止パネルとは異なる色またはパターンである。塗料が封止パネルに最初に塗布された場合、封止部が前に開放された形跡が、封止パネルに隣接する薄膜層に転写された塗料の部分的外形の形で観察可能になり、封止パネルが閉鎖時に容器の頂部に再付着されたときの封止パネルと薄膜層の僅かなずれによってその形跡が見える。封止パネルの周縁部がジグザグパターンなど非線形の場合、封止パネルと薄膜層の間のジグザグパターンの僅かなずれが、僅かにずれたパターンとして見える。
【０００９】
パッケージ完全性を示す第２の証拠は、塗料が封止パネルまたは薄膜層から反対側の表面上の接着剤に転写され、または塗料材料と共に接着剤の薄膜層または封止パネルのいずれか一方から反対側の表面に転写されて生じる剥離強度低下効果による、封止部が前に開放されてから再封止された後の封止パネルと薄膜層の間の剥離強度低下の形で提供される。
【００１０】
本発明は、本発明の他の形態では、第２の薄膜層に接着結合された第１の薄膜層を備える少なくとも１つの二重の材料を含むパッケージ完全性を示す封止部に関する。第１の切り取り線は、第１の切り取り線に沿って前記第１の薄膜層から分離された場合に第１の薄膜層を通るアクセス開口部を提供するための第１のパネルを画定する第１の薄膜層内に形成される。第２の層切り取り線を有する第２の薄膜層は第１のパネルを完全にカバーする封止パネルを画定する。封止パネルは、第１の薄膜層に剥離可能に付着され、封止パネルはアクセス開口部を露出するために第１の薄膜層から分離可能になされる。転写可能な材料の塗料は、前記封止パネルの第１の薄膜層に面する表面上、または封止パネルに面する第１の薄膜層上に存在して、パッケージの開放時に塗料の一部が第２の薄膜層と第１の薄膜層の間で転写され、封止パネルが第１の薄膜層から最初に剥離された後に、封止部が開放されたことが視覚的に示される。
【００１１】
本発明は、本発明の他の形態では、外側層に接着結合された内側層を備え容器の頂部を形成する少なくとも１つの二重の材料を含む容器用のパッケージ完全性を示す封止部に関する。内側層は内側層パネルを有し、外側層は外側層内に形成され内側パネルを完全にカバーする封止パネルを有する。第１のパネルおよび封止パネルは互いに永久結合されて、容器内へのアクセス開口部を提供する。剥離可能な接着剤が、封止パネルを内側層に付着させるために、封止パネルおよび内側層のいずれか一方または両方に塗布される。封止パネルは、封止パネルを剥離方向に後方に引くことによって内側層から剥離可能であり、頂部に対して再閉鎖可能であり、封止パネルが頂部に戻されたときに開口部が封止される。転写可能な材料の塗料は、封止パネル、または封止パネルに面する内側層上に存在して、封止部の開放時に塗料の一部が封止パネルと内側薄膜層の間で転写され、封止パネルが内側層から最初に剥離された後に、封止部が開放されたことが視覚的に示される。
【００１２】
本発明は、本発明の他の形態では、トレイ、および外側層に接着結合されトレイを覆う頂部を形成する内側層を備える少なくとも１つの二重の材料を含むパッケージ完全性を示す食品容器に関する。頂部はトレイに入れた食品へのアクセス用のアクセス開口部を提供するように形成される。内側層は第１のパネルを有し、外側層は外側層内に形成され第１のパネルを完全にカバーする封止パネルを有する。第１のパネルおよび封止パネルは互いに永久結合されて、容器内へのアクセス開口部を形成する。転写可能な材料の塗料は、外側層のアクセス開口部に隣接し内側層に面する表面上または封止パネルに面する内側層上のいずれか一方に存在する。剥離可能な接着剤が第１のパネルの外側周囲の内側層または封止パネルのいずれか一方または両方に塗布され、その上に存在して封止パネルを内側層に付着させる。封止パネルは、封止パネルを剥離方向に後方に引くことによって内側層から剥離可能であり、頂部に対して再閉鎖可能であり、封止パネルが頂部に戻されたときに開口部が封止され、封止部の最初の開放時に塗料の一部が外側層と内側層の間で転写されて、封止部が開放されたことが視覚的に示される。
【００１３】
容器に入れる食品には、クッキー、クラッカー、ピーナツ、チーズ、薄切り肉、および半固体食品が含まれる。
【００１４】
本発明の他の特徴および利点は、以下で見られる本発明の現時点で好ましい実施形態の詳細な説明に記載されており、またはその記載から明らかである。
【発明を実施するための最良の形態】
【００１５】
特に図１〜６を参照すると、パッケージ完全性を示す特徴が組み込まれた封止部１１を有するパッケージ１０が示されている。パッケージ１０は、頂部または上面１４、側面１６、下面（図示せず）、および圧着端部１８、１９を形成する、第１の内側薄膜層１２および第２の外側薄膜層１３を含む二重包装体を備える。内側薄膜層１２および外側薄膜層１３は、パッケージ１０内に入れるべき食品など所望の製品を受けるための内部空間またはレセプタクルを画定するように、切断され、折りたたまれ、または他の方法で圧縮された高分子薄膜あるいは他の可撓性材料から形成される。パッケージ１０を使用して、クッキー、クラッカー、キャンディー、または他の品目を貯蔵し配達することができる。外側薄膜層１３はパッケージ１０の中身を確認するための図形または他の印を含むことができる。
【００１６】
有利には、内側薄膜層１２は外側薄膜層１３と同一の広がりを有するように形成され、外側薄膜層１３に接着結合される。参照により本明細書に組み込まれている特許文献４に開示されているように、パッケージ１０の製造中に、内側薄膜層１２が第１の切り取り線２０に沿って打抜かれ、外側薄膜層１３が第２の切り取り線２１に沿って打抜かれる。
【００１７】
第１の切り取り線２０はパネル２２を画定する連続切り取り線として形成される。パネル２２は内側薄膜層１２の残りから分離されて、開口部２４が露出され（図２ａ、４、および６）、それによってパッケージ１０の中身へのアクセスが得られる。
【００１８】
第２の切り取り線２１は外側薄膜層１３の封止パネル２６を画定する。封止パネル２６は開口部２４に隣接する第１の切り取り線２０の周辺を越えて延び、封止パネル２６がパネル２２の周囲を完全にカバーしそれを越えて延びるようになされる。
【００１９】
内側薄膜層１２に面する封止パネル２６の側面には剥離可能な接着剤２７が塗布され（図２ａ、３、５、および６）、封止パネル２６をパネル２２に隣接する位置で内側薄膜層１２に剥離可能に固定することができるようになされる。別法として、または剥離可能な接着剤２７に加えて、剥離可能な接着剤２７をパネル２２の外周に隣接する内側薄膜層１２上に塗布することもできる。剥離可能な接着剤は再封止が可能な任意の感圧接着剤でもよく、限定的ではないが、参照により本明細書に組み込まれている特許文献５に開示された接着剤が含まれる。封止パネル２６には接着剤２７が塗布されないタブ３０または他の把持形状部が設けられて、封止パネル２６を内側薄膜層１２から後方に剥離してパッケージ１０を開放することができるようになされる。
【００２０】
インクまたはペイントなど転写可能な材料２８の塗料は、接着剤２７の頂部上の封止パネル２６の周縁部３４上に配置され、または他の方法で印刷される。塗料２８は包装技術分野で周知の適した転写可能なペイントまたはインクでもよく、限定的ではないが、参照により本明細書に組み込まれている特許文献６に開示されたものが含まれる。
【００２１】
別法として、塗料２８を接着剤２７上ではなく封止パネル２６に直接塗布することができる。接着剤２７を塗料に隣接する封止パネルだけに、または塗料上にも塗布することができる。
【００２２】
接着剤２９は第２の切り取り線２１付近の内側薄膜層１２に沿って塗布される。接着剤２９は、有利には、塗料２８と封止パネル２６の間の付着、および塗料２８と接着剤２７の間の付着よりも大きい接着剤２９と塗料２８の間の付着強度を有する限り、当技術分野で周知の任意の接着剤でもよい。以下により詳細に論じるように、封止部１１が最初に開放されたときに、塗料２８の一部が封止パネル２６から内側薄膜層１２の接着剤２９でカバーされた部分に転写される。
【００２３】
一代替実施形態では、内側薄膜層１２に沿って接着剤２９が塗布されない。その代わり、塗料２８は内側薄膜層１２との十分に強い付着を形成して、封止部１１が最初に開放されると、塗料２８の一部または全部が封止パネル２６から内側薄膜層１２に転写されるようになされる。
【００２４】
図５および６で示したように、第１のパネル２２は第１の切り取り線２０に沿って内側薄膜層１２の残りから分離され、パッケージ１０を開放するために、封止パネル２６が矢印３２（図２ａおよび５）で示した方向に後方に剥離されたときは封止パネル２６に付着されたままである。パッケージの中身にアクセスし、パッケージ１０を再封止することが望まれた後、図２ｂで示したように、封止パネルを内側薄膜層１２のほぼ元の位置に再び貼り付けることができる。封止パネル２６はパネル２２の周辺を越えて延在するため、その上に配置された剥離可能な接着剤２７によってパッケージ１０とアクセス開口部２４上を覆って位置付けられるパネル２２との再封止が容易になる。
【００２５】
さらに、封止パネル２６が内側薄膜層１２から離れるように剥離されて、パネル２２が最初に分離されると、塗料２８の一部、すなわち転写される塗料２８ａが封止パネル２６から分離され、内側薄膜層１２上に配置された接着剤２９に残り、または付着される。有利には、塗料２８の色がパッケージ１０の上面の色と異なる色である。塗料２８の残量が示されるが、あるいは塗料２８が全て封止パネル２６から内側薄膜層１２に転写される。
【００２６】
特に図２ｂを参照すると、封止パネル２６がパッケージ１０の頂部に再び貼り付けられた場合に、封止パネル２６の内側薄膜層１２に対する避けられないずれのために、転写された塗料２８ａの一部が見えて、パッケージ１０が以前に開放されたことが示される。
【００２７】
視覚的表示の他に、塗料２８の接着剤２９への転写による接着剤２９の接着力低下効果によって、パッケージが以前に開放され再封止された後のパッケージ完全性についてさらに明らかになる。その結果、転写された塗料２８ａにより、塗料２８ａが転写された部分に沿って接着剤２９の接着力が低下される。したがって、接着剤２９の接着力低下部分を有する、以前に開放されたパッケージは、二度目以降には最初に開放されたときよりも簡単に開放される。
【００２８】
パッケージ１０の代替実施形態が図２ｃに示されており、同様の要素が１００大きい数字で示されている。パッケージ１１０が部分平面図で示されているが、パッケージ１１０は、外側薄膜層内の切り取り線１２１がパッケージ１０の線形切り取り線２１ではなくジグザグパターンを有する以外は、パッケージ１０と同一である。封止部１１１の他の特徴は全て封止部１１と同一である。封止部１１の最初の開放および再封止後に、転写された塗料１２８ａが第２の切り取り線１２１のパターンとずれたジグザグパターンとして現れ、それによって封止部１１１が前に開放されたことが示される。
【００２９】
次に図７〜１２を参照すると、一代替実施形態では、パッケージ１０と同様の要素は２００大きくした数字で示されており、パッケージ２１０は、封止部２１１、頂部側面および圧着端部２１８、２１９を形成する薄膜層２１４を備える。薄膜層２１４は切り取り線２２０に沿って打抜かれる。封止パネル２２６はパッケージ２１０の上面に接着封止される。
【００３０】
次に、特に図９および１０を参照すると、図９はフラップ２２２を有する封止パネル２２６を示し、図１０は、図を見やすくするために封止パネルを示さずに、封止部２１１が最初に開放される前の様々な層および表面を示す、パッケージ２１０の頂部を示す図である。転写可能な材料２２８の塗料は、塗料２８がパッケージ１０に塗布されたのと同様の方法で、最初に薄膜層２１２の開口部２２４の周囲に配置される。有利には、塗料２２８は、封止パネルがパッケージ２１０の頂部２１４上に配置された場合に、封止パネル２２６の剥離可能な接着剤２２７と直接接触状態になる薄膜層２１２の部分に塗布される。有利には、塗料２２８は薄膜層２１２に対して、塗料２２８と剥離可能な接着剤２２７の付着強度よりも弱い付着強度を有する。
【００３１】
図８ａおよび１２で示したように、封止パネル２２６が最初に後方に引っ張られた場合に、塗料２２８の一部または全部、たとえば転写される塗料部分２２８ａが薄膜層２１２から剥離可能な接着剤２２７に転写され、それによって、すでに転写された塗料２２８ａでカバーされた接着剤２２７の部分の接着力が低下される。図８ａで示したように、塗料２２８の封止パネル２２６への転写によって、封止パネル２２６がすでに剥離されたことを顧客に警告する視覚的な印が提供され、パッケージの完全性の印が提供される。さらに、パッケージ２１０が以前に開放された後に塗料２２８ａが転写された接着剤２２７の接着力低下領域による、封止パネル２２６と薄膜層２１２の間の剥離強度の低下によってもパッケージの完全性が示される。塗料２２８をアクセス開口部２２４の周囲に部分的または全体に配置することができることを留意されたい。さらに、図８ｂで示したように、パッケージ２１０の頂部２１４を見たときに、封止パネル２２６の僅かなずれによって、観察可能な塗料２２８の一部を見ることによって視覚的な印が提供される。
【００３２】
本発明による、パッケージ完全性を示す特徴を有するパッケージの追加の代替実施形態が図１３〜１８に示されている。図ではパッケージ１０と同様の要素は３００大きくした数字で示してある。図１５および１７で示したように、パッケージ３１０は、転写可能な材料の塗料が最初に薄膜層２１４に塗料されず、転写可能な材料３２８の塗料が、剥離可能な接着剤３２７を塗布する前に封止パネル３２６の周縁部３３４に最初に塗布される以外は、パッケージ２１０と同一である。有利には、反転印刷を使用して、塗料３２８を封止パネル３２６の後面に塗布することができる。有利には、塗料３２８の印刷層の一部が、塗料３２８と封止パネル３２６のラベル面ストックとの間の付着強度を弱めるように特別に処理される。
【００３３】
パッケージ３１０が最初に開放されたときに、塗料３２８に付着された接着剤３２７の一部が封止ラベル３２５から薄膜層３１２に転写されて、パッケージ３１０の頂部に転写された塗料３２８ａが形成される（図１５〜１８を参照）。その結果、図１４ｂで示したように、転写塗料３２８ａが、封止パネル３２６が平坦な位置に戻されたときに、封止パネル３２６と薄膜層３１２の僅かなずれによって見える、パッケージ３１０の頂部３１４上に視覚的な印を生成する。さらに、塗料３２８ａと共に薄膜層３１２の頂部３１４に転写された接着剤３２７の一部である、接着剤３２７の一部が失われた封止パネル３２６の部分により、パッケージ３１０が最初に開放され再封止された後に、封止パネル３２６と薄膜層３１２の間の剥離強度が低下する。
【００３４】
図１〜１８では封止部１１、１１１、２１１、および３１１を、パッケージ１０、１１０、２１０、および３１０を画定する包装体の開口部を形成するものとして示し記載したが、封止部は、参照により本明細書に組み込まれている、特許文献７に開示されたものなど、再封可能な開口部を有する他のパッケージの頂部を形成することができ、したがって封止部は、トレイの頂部を覆う蓋材料として、封止パネルまたは層を有する熱成形トレイを覆う封止部を形成することができる。
【００３５】
図１９を参照すると、図１〜６の実施形態の要素と同様のものが４００大きい数字で示されており、パッケージ４１０は側面４１６および端部４６１、４６２を形成する熱成形トレイ４６０を備える。内側薄膜層４１２および外側薄膜層４１３を含む二重薄膜材料が熱成形トレイ４６０のフランジ４６３に封止される。パッケージ１０、１１０、２１０、３１０と同様に、引きあけタブ４３０が封止パネル４２６を外側薄膜層４１３から分離させ、パネル４２２を内側薄膜層４１２から分離させる。
【００３６】
パッケージ１０と同様に、パッケージ４１０は、封止パネル４２６の周囲４３４上に付着された転写可能な材料４２８の塗料、および封止パネルがパッケージ４１０の頂部４１４上に平坦に配置された場合に塗料４２８の直接下に配置される第２の切り取り線４２１に隣接する内側薄膜層４１２の周囲に形成された接着剤４２７を有する。パッケージ１０と同様に、封止パネル４２６を最初に剥離することによって、塗料４２８の一部が接着剤４２９に転写される。パッケージ１０と同様の方法で、封止パネル４２６が平坦な位置に戻された場合に、封止パネル４２６と内側薄膜層４１２の僅かなずれによって、パッケージ４１０の頂部を見ると転写された塗料の一部４２８ａが見える。
【００３７】
パッケージ４１０を封止部４１１を有するものとして記載したが、パッケージ４１０は、封止部１１、１１１、２１１、および３１１の任意のものを組み込むことができる。当業者には明らかであろうが、本発明のパッケージ完全性を示す特徴を有する再封可能なパッケージは、従来のパッケージには見られない利点を提供するものである。
【００３８】
本発明の好ましい実施形態に関して本発明を上記に記載したが、当業者には理解されるように、本発明の範囲および精神から逸脱することなく、これらの好ましい実施形態に様々な変更および修正を加えることができる。
【図面の簡単な説明】
【００３９】
【図１】本発明による、最初の開放前の例示の封止部を備えるパッケージを示す斜視図である。
【図２ａ】部分的に開放された状態の図１のパッケージを示す図である。
【図２ｂ】パッケージが開放されてから閉鎖された後の図１のパッケージを示す部分拡大図である。
【図２ｃ】本発明による代替封止パネルを有する図１と同様のパッケージを示す拡大部分平面図である。
【図３】最初の状態で下から見た、図１のパッケージの付着された薄膜層フラップを有する封止パネルを示す部分平面図である。
【図４】パッケージが開放される前の、封止パネルが示されていない、図１のパッケージの頂部を示す部分平面図である。
【図５】図１の線５−５に沿って切り取られた図１の封止部を示す部分拡大断面図である。
【図６】封止部の最初の開放を示す、図５と同様の封止部を示す部分拡大断面図である。
【図７】本発明の他の実施形態による、最初の開放前の例示の封止部を備える他のパッケージを示す斜視図である。
【図８ａ】部分的に開放された状態の図７のパッケージを示す図である。
【図８ｂ】パッケージが開放されてから閉鎖された後の図７のパッケージを示す部分拡大図である。
【図９】最初の状態で下から見た、図７のパッケージの付着された薄膜層フラップを有する封止パネルを示す部分平面図である。
【図１０】パッケージが開放される前の、封止パネルが示されていない、図７のパッケージの頂部を示す部分平面図である。
【図１１】図７の線１１−１１に沿って切り取られた図７の封止部を示す部分拡大断面図である。
【図１２】最初の開放後の封止部の再封止される構成を示す、図１１と同様の封止部を示す部分拡大断面図である。
【図１３】本発明の他の実施形態による、最初の開放前の例示の封止部を備える他のパッケージを示す斜視図である。
【図１４ａ】部分的に開放された状態の図１３のパッケージを示す図である。
【図１４ｂ】パッケージが開放されてから閉鎖された後の図１３のパッケージを示す部分拡大図である。
【図１５】最初の状態で下から見た、図１３のパッケージの付着された薄膜層フラップを有する封止パネルを示す部分平面図である。
【図１６】パッケージが開放される前の、封止パネルが示されていない、図１３のパッケージの頂部を示す部分平面図である。
【図１７】図１３の線１７−１７に沿って切り取られた図１３の封止部を示す部分拡大断面図である。
【図１８】封止部の最初の開放を示す、図１７と同様の封止部を示す部分拡大断面図である。
【図１９】本発明による、開放された封止部を備える他のパッケージを示す斜視図である。
【図１】
2008162692.tif 000003
【図２ａ】
2008162692.tif 000004
【図２ｂ】
2008162692.tif 000005
【図２ｃ】
2008162692.tif 000006
【図３】
2008162692.tif 000007
【図４】
2008162692.tif 000008
【図５】
2008162692.tif 000009
【図６】
2008162692.tif 000010
【図７】
2008162692.tif 000011
【図８ａ】
2008162692.tif 000012
【図８ｂ】
2008162692.tif 000013
【図９】
2008162692.tif 000014
【図１０】
2008162692.tif 000015
【図１１】
2008162692.tif 000016
【図１２】
2008162692.tif 000017
【図１３】
2008162692.tif 000018
【図１４ａ】
2008162692.tif 000019
【図１４ｂ】
2008162692.tif 000020
【図１５】
2008162692.tif 000021
【図１６】
2008162692.tif 000022
【図１７】
2008162692.tif 000023
【図１８】
2008162692.tif 000024
【図１９】
2008162692.tif 000025